(57)【要約】【課題】製作が容易で、優れた伸張性及び通気性を有する、立体的にすきまなく包む防具を提供する。【解決手段】立体的にすきまなく包む防具は着用物品１を含む。着用物品１には、複数の緩衝体２が配設される。緩衝体２間には、それぞれ間隔２１が形成され、着用物品１と対をなす緩衝体２の他方の面は、基材４により覆われる。基材４の周縁と、緩衝体２に対応して形成された間隔２１とには、着用物品１が加熱貼合せされる。緩衝体２と基材４との間にはギャップ５が形成されている。着用物品１は、緩衝体２により形成された区間周囲に位置する。緩衝体２の間隔２１には、接着剤３が塗布される。基材４の周縁と、緩衝体２に対応して形成された間隔２１とには、着用物品１が加熱貼合せされている。【選択図】図３
0003197278.tif 000002
【実用新案登録請求の範囲】
【請求項１】
着用物品を含む立体的にすきまなく包む防具であって、
前記着用物品には、複数の緩衝体が配設され、前記緩衝体間には、それぞれ間隔が形成され、前記着用物品と対をなす前記緩衝体の他方の面は、基材により覆われ、前記基材の周縁と、前記緩衝体に対応して形成された間隔とには、前記着用物品が加熱貼合せされ、前記緩衝体と前記基材との間にはギャップが形成されていることを特徴とする、
立体的にすきまなく包む防具。
【請求項２】
前記着用物品は、前記緩衝体により形成された区間周囲に位置し、前記緩衝体の前記間隔には、接着剤が塗布され、前記基材の周縁と、前記緩衝体に対応して形成された前記間隔とには、前記着用物品が加熱貼合せされていることを特徴とする請求項１に記載の立体的にすきまなく包む防具。
【請求項３】
前記着用物品は、衣服、ズボン、靴下、腰用サポーター、膝用サポーター、胸用サポーター、肩用サポーター、ひじ用サポーター、腿用サポーター又は脛用サポーターのいずれかであることを特徴とする請求項１に記載の立体的にすきまなく包む防具。
【考案の詳細な説明】
【技術分野】
【０００１】
本考案は、立体的にすきまなく包む防具に関し、特に、製作が容易で、優れた伸張性及び通気性を有する、立体的にすきまなく包む防具に関する。
【背景技術】
【０００２】
図６に示すように、従来の防具６は、主に生地の基材６１上に接着剤層６２の全層が塗布され、基材６１に塗布された接着剤層６２の一面にはスポンジ６３が設けられている。スポンジ６３の一面には、接着剤層６２を介して生地の基材６１が接着固定された後、スポンジ６３の他方の面に塗布されて他方の接着剤層６４が形成され、衣服などの着用物品６５の内面に接着される。これにより着用物品６５を着用した後に、スポンジ６３を利用して運動又は活動中に受ける衝撃を弱めて怪我を防ぎ、安全性を高める。
【０００３】
しかし、従来の防具には、実際に使用する際、以下（１）〜（３）の問題点があった。
（１）スポンジの側面に接着された生地の基材が伸張性に乏しいため、体を動かす際、伸張性に乏しい生地の基材により引っ張られ、使用者は体をスムーズに動かすことが困難であった。
（２）使用者が運動したり活動をしたりする際、身体は大量の熱及び汗を発するが、従来の防具は、基材に接着剤層が塗布されて製作されているため、生地の基材の縦糸と横糸との間の隙間が接着剤層により覆われ、身体が発する熱及び汗が基材を介して外部へ排出されることが妨げられ、暑苦しくて着心地が良くなかった。
（３）製作する際に基材上に接着剤層が塗布され、接着剤層上にスポンジが接着され、スポンジの他方の面に他方の接着剤層が塗布され、着用物品の内面に接着されるため、その製作過程には時間及び労力が多くかかり、多層の接着剤層の塗布には多くの時間及び労力をかける必要があり、製作コストが高価である。
【考案の概要】
【考案が解決しようとする課題】
【０００４】
本考案の目的は、製作が容易で、優れた伸張性及び通気性を有する立体的にすきまなく包む防具を提供することにある。
【課題を解決するための手段】
【０００５】
上記課題を解決するために、本考案の第１の形態によれば、着用物品を含む立体的にすきまなく包む防具であって、前記着用物品には、複数の緩衝体が配設され、前記緩衝体間には、それぞれ間隔が形成され、前記着用物品と対をなす前記緩衝体の他方の面は、基材により覆われ、前記基材の周縁と、前記緩衝体に対応して形成された間隔とには、前記着用物品が加熱貼合せされ、前記緩衝体と前記基材との間にはギャップが形成されていることを特徴とする立体的にすきまなく包む防具が提供される。
【０００６】
前記着用物品は、前記緩衝体により形成された区間周囲に位置し、前記緩衝体の前記間隔には、接着剤が塗布され、前記基材の周縁と、前記緩衝体に対応して形成された前記間隔とには、前記着用物品が加熱貼合せされていることが好ましい。
【０００７】
前記着用物品は、衣服、ズボン、靴下、腰用サポーター、膝用サポーター、胸用サポーター、肩用サポーター、ひじ用サポーター、腿用サポーター又は脛用サポーターであることが好ましい。
【図面の簡単な説明】
【０００８】
【図１】本考案の一実施形態に係る立体的にすきまなく包む防具を示す斜視図である。
【図２】本考案の一実施形態に係る立体的にすきまなく包む防具の部分拡大図である。
【図３】本考案の一実施形態に係る立体的にすきまなく包む防具を示す断面図である。
【図４】本考案の他の実施形態に係る立体的にすきまなく包む防具を示す斜視図である。
【図５】本考案の他の実施形態に係る立体的にすきまなく包む防具を示す斜視図である。
【図６】従来の防具を示す断面図である。
【考案を実施するための形態】
【０００９】
以下、本考案の実施形態について図に基づいて説明する。なお、これによって本考案が限定されるものではない。
【００１０】
まず、図１〜図３を参照する。図１〜図３に示すように、本考案の一実施形態に係る立体的にすきまなく包む防具は、着用物品１を含む。
着用物品１は、衣服などでもよく、着用物品１の内面には、複数のブロック状緩衝体２が設けられ、各緩衝体２間には、間隔２１が設けられている。緩衝体２は、発泡材、ゴム又はシリコーンゲルでもよい。着用物品１は、複数の緩衝体２により形成された区間周囲に位置し、間隔２１には接着剤３が塗布されている。着用物品１と対をなす緩衝体２の他方の面は、生地を有する基材４により覆われ、基材４の周縁と、各緩衝体２に対応して形成された間隔２１の部位とには、着用物品１を介して緩衝体２の区間周囲と、間隔２１とに塗布された接着剤３により加熱貼合せされ、基材４と着用物品１との間には、緩衝体２がすきまなく包まれ、緩衝体２と基材４との間にギャップ５が形成されている。
【００１１】
使用者が野球、バスケットボール、サッカーなどの運動、又はスケートボード、自転車搭乗、ダンスなどの活動をする際、その運動又は活動中に怪我し易い部位に応じ、運動又は活動を行う際に怪我し易い部位に緩衝体２を有する本考案の防具を着用することができる。本考案の防具を身につけると、例えば衣服などの着用物品１の内面に位置する基材４が使用者の身体に密着される。
【００１２】
使用者が野球、バスケットボール、サッカーなどの運動、又はスケートボード、自転車搭乗、ダンスなどの活動をする際、その運動又は活動中に他人に体が当たったり、地面に打ちつけたりする場合、着用物品１を身につけている使用者は、運動する際に怪我し易い部位に設けた緩衝体２により、使用者が運動する際に受ける衝撃から体を保護することができる。
【００１３】
また、使用者が運動又は活動を行い、跪く、走る、跳ぶ、体を曲げるなどの動作を行う際、各緩衝体２の間隔２１において、基材４が着用物品１と加熱貼合せされて一体成形され、基材４の当該箇所を容易に折り曲げることができるため、基材４は、着用物品１とともに使用者が行う動作、例えば、跪く、走る、跳ぶ、体を曲げるなどを行い、対応して折り曲げたり伸ばしたりすることができるため、使用者が行う跪く、走る、跳ぶ、体を曲げるなどの動作を行う際に、引っ張られて抵抗力が発生することを防ぐことができる。そのため、使用者が運動又は活動を行う際に体の動きがスムーズとなり、使用者が運動又は活動を自在に行うことができる。
【００１４】
使用者が野球、バスケットボール、サッカーなどの運動、又はスケートボード、自転車搭乗、ダンスなどの活動をする際、体から大量の熱及び汗が発せられると、体から発せられた熱及び汗は、体に貼り付いた生地の基材４の縦糸と横糸との間の隙間から、基材４と緩衝体２との間に形成されたギャップ５から浸み込み、ギャップ５を介して衣服などの着用物品１の縦糸と横糸との間の隙間から外部へ排出される。
浸透及び放出の経路設計により、使用者は野球、バスケットボール、サッカーなどの運動、又はスケートボード、自転車搭乗、ダンスなどの活動をする際に体から大量に発せられる熱及び汗が着用物品１内に溜まることなく、外部へスムーズに排出されるため、使用者は暑苦しく感じたり不快感を感じたりすることがない。
【００１５】
上述した実施形態又は図面は、本考案の立体的にすきまなく包む防具を限定するものではない上、本考案の着用物品１が衣服のみに限定されるわけではなく、例えば、ズボン（図４参照）、靴下、腰用サポーター、膝用サポーター、胸用サポーター、肩用サポーター、ひじ用サポーター（図５参照）、腿用サポーター、脛用サポーターなどでもよい。
緩衝体２及び基材４は、着用物品１の内面に設けられることのみに限定されるわけではなく、着用物品１の外側面に設置されてもよい。基材４と着用物品１とが結合され、着用物品１が緩衝体２に形成された区間周囲及び間隔２１には、接着剤３が塗布され、基材４又は着用物品１は樹脂材料からなり、基材４と着用物品１とを加熱貼合せすることもできる。
【００１６】
上述したことから分かるように、本考案の立体的にすきまなく包む防具は、以下（１）〜（３）の長所を有する。
（１）着用物品の内面に複数の緩衝体が間隔をおいて配設され、緩衝体の他方の面が基材により覆われ、基材及び着用物品は、その上部に塗布した接着剤により加熱貼合せを行い、緩衝体を基材と着用物品との間ですきまなく包まれるため、非常に容易に製作することができ、製造の手間及び製造時間を減らし、製作コストを大幅に減らすことができる。
（２）基材の周縁と、各緩衝体の間隔に対応した部位とにより着用物品を加熱貼合せして一体成形し、基材を容易に折り曲げることができるため、使用者が跪く、走る、跳ぶ、体を曲げるなどの動作を行う際、対応して折り曲げたり延伸したりし、不適切に引っ張られる抵抗力が発生せず、使用者が運動又は活動を行う際、スムーズな動作を行うことができる。
（３）基材と緩衝体との間に形成されたギャップにより、使用者が運動又は活動を行う際に身体から発する熱及び汗が、身体に密着された生地の基材の縦糸と横糸との間の隙間から、基材と緩衝体との間に形成されたギャップに浸入し、ギャップを介して着用物品の縦糸、横糸間のギャップから外部へスムーズに排出されるため、着用物品の内側に溜まらず、着心地を高めることができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１    着用物品
２    緩衝体
３    接着剤
４    基材
５    ギャップ
６    防具
２１  間隔
６１  基材
６２  接着剤層
６３  スポンジ
６４  接着剤層
６５  着用物品
【図１】
0003197278.tif 000003
【図２】
0003197278.tif 000004
【図３】
0003197278.tif 000005
【図４】
0003197278.tif 000006
【図５】
0003197278.tif 000007
【図６】
0003197278.tif 000008